(57)【要約】【課題】強力な吸い込み力を持続させ、集塵フィルターのメンテナンスを軽減できる電気掃除機を提供することを目的とする。【解決手段】吸引風が流れる第一流路２２、第二流路２５と、前記第一流路２２、前記第二流路２５を分岐する分岐部２６と、前記第一流路２２に設けた一次塵埃捕集手段２３とを備え、前記第一流路２２に流れる吸引風の流量より、前記第二流路２５に流れる吸引風の流量が多くなると、前記一次塵埃捕集手段２３に捕集された塵埃が、前記分岐部２６を介して前記第二流路２２に移送するもので、自動的に一次塵埃捕集手段２３の表面に付着した塵埃を取り除くことができるものである。【選択図】  図３
2005000572.tif 000002
【特許請求の範囲】
【請求項１】
吸引風を発する電動送風機と、前記吸引風が流れる第一流路、第二流路と、前記第一流路、前記第二流路を分岐する分岐部と、前記第一流路に設けた一次塵埃捕集手段とを備え、前記第一流路に流れる吸引風の流量より、前記第二流路に流れる吸引風の流量が多くなると、前記一次塵埃捕集手段に捕集された塵埃が、前記分岐部を介して前記第二流路に移送する電気掃除機。
【請求項２】
第二流路に連通する塵埃収容部を備え、第一流路に流れる吸引風の流量より、前記第二流路に流れる吸引風の流量が多くなると、一次塵埃捕集手段に捕集された塵埃は、分岐部を介して前記塵埃収容部内に収容される請求項１記載の電気掃除機。
【請求項３】
第一流路、第二流路に流れる吸引風の流量を可変する可変手段を設けた請求項１または２記載の電気掃除機。
【請求項４】
一次塵埃捕集手段は、第一流路内の吸引風の流れ方向に対して、分岐部に対向するような傾斜部を有する請求項１〜３のいずれか１項に記載の電気掃除機。
【請求項５】
一次塵埃捕集手段は、第一流路内の吸引風の流れ方向と略平行かつ分岐部に対向するような直線部を有する請求項４記載の電気掃除機。
【請求項６】
一次塵埃捕集手段は、第一流路内の吸引風の流れ方向に対して、分岐部に対向するような略円弧形状部を有する請求項４または５記載の電気掃除機。
【請求項７】
第一流路の一次塵埃捕集手段の吸気下流側に細塵捕集手段を設け、細塵捕集手段の通気抵抗を、前記一次塵埃捕集手段の通気抵抗よりも小さくした請求項１〜６のいずれか１項に記載の電気掃除機。
【請求項８】
塵埃収容部の吸気下流側に二次塵埃捕集手段を設けた請求項２〜７のいずれか１項に記載の電気掃除機。
【請求項９】
第一流路の一次塵埃捕集手段から細塵捕集手段に至る圧力損失を、二次塵埃捕集手段を有する第二流路の圧力損失よりも小さくした請求項８記載の電気掃除機。
【請求項１０】
細塵捕集手段に付着した塵埃を除塵する除塵手段を設けるとともに、前記細塵捕集手段に対向して細塵収容部を設けた請求項７または９記載の電気掃除機。
【請求項１１】
細塵捕集手段を弾性体を介して枠体に保持する請求項１０記載の電気掃除機。
【請求項１２】
一次塵埃捕集手段を分岐部に対向させ、かつ、前記分岐部の吸気下流側に固定して設けた請求項１〜１１のいずれか１項に記載の電気掃除機。
【請求項１３】
一次塵埃捕集手段を第一流路内を移動する移動体に設けた請求項１〜１１のいずれか１項に記載の電気掃除機。
【発明の詳細な説明】
【０００１】
【発明の属する技術分野】
本発明は、紙袋レスの集塵部を有する電気掃除機に関する。
【０００２】
【従来の技術】
従来の紙袋レスタイプの集塵部を有した電気掃除機は、吸塵された塵埃は集塵室内に設けられた集塵フィルターによって捕集され、単純にその集塵室に堆積していく構成のものであった（例えば、特許文献１参照）。
【０００３】
【特許文献１】
特開昭６０−５７８４９号公報
【０００４】
【発明が解決しようとする課題】
ところがこのような電気掃除機にあっては、集塵室内に蓄積される塵埃は、前述の通り単純に堆積するだけの構造のため、集塵フィルターの表面に塵埃が吸着して目づまりし、早い段階で吸込性能が低下するという問題があった。
【０００５】
また、塵埃が付着した集塵フィルターのメンテナンスは非衛生的な作業となっていた。
【０００６】
本発明は上記課題を解消して、強力な吸い込み力を持続させ、集塵フィルターのメンテナンスを軽減できる電気掃除機を提供することを目的とする。
【０００７】
【課題を解決するための手段】
上記目的を達成するために本発明は、吸引風を発する電動送風機と、前記吸引風が流れる第一流路、第二流路と、前記第一流路、前記第二流路を分岐する分岐部と、前記第一流路に設けた一次塵埃捕集手段とを備え、前記第一流路に流れる吸引風の流量より、前記第二流路に流れる吸引風の流量が多くなると、前記一次塵埃捕集手段に捕集された塵埃が、前記分岐部を介して前記第二流路に移送するもので、吸塵することによって、一次塵埃捕集手段の表面に塵埃が吸着して目づまりしてきた場合に、前記第一流路に流れる吸引風の流量より、前記第二流路に流れる吸引風の流量が多くして、一次塵埃捕集手段の表面に付着した塵埃を吸引して、前記第二流路に移送することで、自動的に一次塵埃捕集手段の表面に付着した塵埃を取り除くことができるものである。
【０００８】
【発明の実施の形態】
本発明の請求項１記載の発明は、吸引風を発する電動送風機と、前記吸引風が流れる第一流路、第二流路と、前記第一流路、前記第二流路を分岐する分岐部と、前記第一流路に設けた一次塵埃捕集手段とを備え、前記第一流路に流れる吸引風の流量より、前記第二流路に流れる吸引風の流量が多くなると、前記一次塵埃捕集手段に捕集された塵埃が、前記分岐部を介して前記第二流路に移送するもので、吸塵することによって、一次塵埃捕集手段の表面に塵埃が吸着して目づまりしてきた場合に、前記第一流路に流れる吸引風の流量より、前記第二流路に流れる吸引風の流量が多くして、一次塵埃捕集手段の表面に付着した塵埃を吸引して、前記第二流路に移送することで、自動的に一次塵埃捕集手段の表面に付着した塵埃を取り除くことができるものである。
【０００９】
本発明の請求項２記載の発明は、第二流路に連通する塵埃収容部を備え、第一流路に流れる吸引風の流量より、前記第二流路に流れる吸引風の流量が多くなると、一次塵埃捕集手段に捕集された塵埃は、分岐部を介して前記塵埃収容部内に収容されるもので、一次塵埃捕集手段の表面に付着した塵埃を吸引して、前記第二流路に移送し、さらには前記塵埃収容部内に収容することで、一次塵埃捕集手段の表面に付着した塵埃を取り除くとともに、塵埃収容部内に収容した塵埃を廃棄できる。
【００１０】
本発明の請求項３記載の発明は、第一流路、第二流路に流れる吸引風の流量を可変する可変手段を設けたもので、前記第一流路に流れる吸引風の流量より、前記第二流路に流れる吸引風の流量が多くなる構成を実現でき、前記一次塵埃捕集手段に捕集された塵埃が、前記分岐部を介して前記第二流路に移送することができる。
【００１１】
本発明の請求項４記載の発明は、一次塵埃捕集手段は、第一流路内の吸引風の流れ方向に対して、分岐部に対向するような傾斜部を有するもので、第一流路の断面積に対する一次塵埃捕集手段の面積の割合を大きく確保し、性能低下を少なく抑えるとともに、一次塵埃捕集手段に付着した塵埃を第二流路側に引き込みやすくすることができるものである。
【００１２】
本発明の請求項５記載の発明は、一次塵埃捕集手段は、第一流路内の吸引風の流れ方向と略平行かつ分岐部に対向するような直線部を有するもので、これにより一次塵埃捕集手段のこの直進部分の吸気風速は早い風速を維持でき、一次塵埃捕集手段に塵埃が堆積し目づまり状態になったとしても、前記直進部分への塵埃付着を抑え通気性を確保し続けることで、急激な風量低下を避けることができるものである。
【００１３】
本発明の請求項６記載の発明は、一次塵埃捕集手段は、第一流路内の吸引風の流れ方向に対して、分岐部に対向するような略円弧形状部を有するもので、一次塵埃捕集手段の表面に付着した塵埃に対して、略円弧面に沿って流れてきた吸気風は接線方向から当てることができ、塵埃を除去しやすい構成とすることができるのもである。
【００１４】
本発明の請求項７記載の発明は、第一流路の一次塵埃捕集手段の吸気下流側に細塵捕集手段を設け、細塵捕集手段の通気抵抗を、前記一次塵埃捕集手段の通気抵抗よりも小さくしたもので、一次塵埃捕集手段で捕集できなかった細塵を細塵捕集手段で捕集できるものである。
【００１５】
本発明の請求項８記載の発明は、塵埃収容部の吸気下流側に二次塵埃捕集手段を設けたもので、塵埃収容部で収納できなかった細塵を細塵捕集手段で捕集することができるものである。
【００１６】
本発明の請求項９記載の発明は、第一流路の一次塵埃捕集手段から細塵捕集手段に至る圧力損失を、二次塵埃捕集手段を有する第二流路の圧力損失よりも小さくしたもので、掃除中の通常の流路を第一流路にすることにより、強力な吸い込み力を持続するとともに、吸気を利用して塵埃を自動的に除去することができるものである。
【００１７】
本発明の請求項１０記載の発明は、細塵捕集手段に付着した塵埃を除塵する除塵手段を設けるとともに、前記細塵捕集手段に対向して細塵収容部を設けたもので、細塵捕集手段に付着した塵埃を除塵手段により除塵するとともに、前記除塵した細塵を効率よく確実に細塵収容部に収容することができるものである。
【００１８】
本発明の請求項１１記載の発明は、細塵捕集手段を弾性体を介して枠体に保持するもので、細塵捕集手段が振動しやすくなることで、細塵捕集手段に付着した細塵を除塵することができるものである。
【００１９】
本発明の請求項１２記載の発明は、一次塵埃捕集手段を分岐部に対向させ、かつ、前記分岐部の吸気下流側に固定して設けたもので、一次塵埃捕集手段に付着した塵埃をより容易に第二流路側に移送することを可能にすることができる。
【００２０】
本発明の請求項１３記載の発明は、一次塵埃捕集手段を第一流路内を移動する移動体に設けたもので、一次塵埃捕集手段の表面に付着した塵埃が第二流路に吸引され移送するときには、前記移動体が移動するため、使用者が塵埃が第二流路に吸引され移送したことを目や音で確認できるため、使用性を向上できる。
【００２１】
【実施例】
（実施例１）
以下、本発明の第１の実施例を、図１〜図６を用いて説明する。
【００２２】
図１において、電気掃除機１は延長管２に取り付けた塵埃を吸引する吸込具３を有し、該延長管２は手元ハンドル４とホース継ぎ手５付きのホース６とを介して掃除機本体７（以下、本体７とする）に連結されている。本体７は、枢支された１個の前輪キャスター８と一対の後輪９とを備えている。
【００２３】
図２に示すように、本体７内前方に形成された凹部１０には集塵ケース１１が着脱可能に装着され、集塵ケース１１の上部には集塵ケース１１着脱用のハンドル１２が取り付けられている。また、本体７の凹部１０の後方には吸引風を発する電動送風機１３等が内蔵されている。この電動送風機１３の吸入側は、隔壁１４を介して集塵ケース１１に連通している。本体７後方には排気塵埃捕集手段１６を備えており、排気塵埃捕集手段１６を通過して電動送風機１３からの排気は本体７機外へ放出されるのであり、更に本体７には他の部品、すなわち制御部（図示せず）等の電気系統や、コード巻き取り装置１８等が内蔵されている。また、集塵ケース１１を挟んで本体７の前方には、ホース継ぎ手５を着脱自在に接続し、集塵ケース１１へと連通する吸気口１９を設け、このホース継ぎ手５と集塵ケース１１は吸気口１９内部でシールパッキン２０を介して空気洩れを防止している。
【００２４】
次に本発明の特徴である集塵ケース１１の詳細について図３〜図６を用いて説明する。ただし、本発明と関係の無いハンドル１２部の形状については図から省いている。
【００２５】
図３に示すように、吸気口１９と連通する開口部２１と隔壁１４の開口部がほぼ一直線上になるように配置した流路を第一流路２２として形成し、第一流路には粗塵を捕集するための集塵フィルターである一次塵埃捕集手段２３と細塵を捕集するための集塵フィルターである細塵捕集手段２４が、吸気下流側になるに従い一次塵埃捕集手段２３、細塵捕集手段２４の順で設けられている。また、第一流路２２の一次塵埃捕集手段２３の直前には、一次塵埃捕集手段２３を通過せずに吸気口１９から隔壁１４へと連通する第二流路２５への分岐部２６が設けられており、前記分岐部２６の吸気下流側の第二流路２５には一次塵埃捕集手段２３で捕集した粗塵を収容するための塵埃収容部２７が設けられている。また、この塵埃収容部２７の後部（隔壁側）には、前記塵埃収容部２７を通過してしまい収容できなかった塵埃を捕集するための二次塵埃捕集手段２８が設けられている。
【００２６】
図４に示すように、隔壁１４においては、内部にモータ駆動２９等により開閉自在な遮蔽板３０を有し、遮蔽板３０は、集塵ケース１１の第一流路２２と第二流路２５の形状に合わせて、二分割されている。遮蔽板３０は隔壁１４内で第一流路２２の開口部３１を開閉する機能を持ち、第一流路２２と第二流路２５の切換え（風量調整）を行う構成になっている。集塵ケース１１と隔壁１４は、図３に示すように、集塵ケース１１外周に設けられた隔壁パッキン３２にてエアタイトされている。また、細塵捕集手段２４に対向して下方には、細塵捕集手段２４に付着した細塵を収容するための細塵収容部３３を設けている。そして、集塵ケース１１の底部（塵埃収容部２７と細塵収容部３３の下方）には開閉蓋３４が設けられ、捕集した塵埃を排出できる構成としている。
【００２７】
次に、上記構成による動作、作用について説明する。
【００２８】
電動送風機１２を運転状態にすると、吸込具３から吸引された塵埃を含んだ空気流は、延長管２とホース６を通って吸気口１９の中へ流入する。この空気流は、開口部２１を通り集塵ケース１１内へ入り、第一流路２２内を流れて本体７外へと排出される。この際、一次塵埃捕集手段２３を通過できない粗塵は、一次塵埃捕集手段２３によって一時的に捕集され、一次塵埃捕集手段２３を通過した細塵は細塵捕集手段２４で捕集される。一次塵埃捕集手段２３への塵埃の付着が多くなり、一次塵埃捕集手段２３が目づまりした時点で、図５、図６に示すように、隔壁１４内の遮蔽板３０が第一流路２２を塞ぐ方向へ移動すると、空気流は前記第一流路２２内を流れる量より前記第二流路２５内を流れる量の方が多くなり、その時点で、一次塵埃捕集手段２３表面に付着していた塵埃は、第二流路２５を流れる気流の吸引力によって剥ぎ取られ、分岐部２６、第二流路２５、塵埃収容部２７へと移送、蓄積されていく。この時、遮蔽板３０の開閉タイミングについては、製品仕様に応じ掃除機運転中に定期的に実施するものもあれば、第一流路２２の風量を検知し、一定の風量を下回った時に動作させるものもある。あるいは、第一流路２２と第二流路２５または大気間の圧力を検知し動作させることも、人為的に動作させるためのＳＷを設ける手段がある等については容易に推測できる。
【００２９】
また、細塵捕集手段２４に付着じた細塵は、掃除機本体７を引きずりまわしている際に加わる衝撃によって、前記細塵捕集手段２４から離脱落下し、自動的に細塵収容部３３へと移送される。掃除終了後には、集塵ケース１１を本体７から取外し、開閉蓋３４を開けると粗塵と細塵が同時に排出されるというものである。
【００３０】
次に、一次塵埃捕集手段２３の詳細形状について図７、図８を用いて説明する。
【００３１】
図７の構成は、一次塵埃捕集手段２３を分岐部２６の吸気下流側に前記分岐部２６に対向させて設けている。一次塵埃捕集手段２３は、第一流路２２内の吸引風の流れ方向に対して、分岐部２６に対向するように傾斜させて設けたもので、空気流が第二流路２５に第一流路２２より多くながれるように切り替わった時に、空気流が一次塵埃捕集手段２３に沿って流れるため、一次塵埃捕集手段２３の表面に付着した塵埃ａに対し、空気流が前記塵埃ａの吸気上流側の端部ｂに当たることで、微量の風でも塵埃を剥がすことができるものである。
【００３２】
また、図８の構成は、一次塵埃捕集手段２３の一部に、第一流路２２内の吸引風の流れ方向と略同一進行方向をなすように、直線部を設けた形状としたもので、これにより、配置的にも流速的にも塵埃が引っ掛かりにくい部分をつくることができる。したがって、塵埃収容部２７に多量の塵埃ａが蓄積され、一次塵埃捕集手段２３の塵埃除去効果が悪くなったとしても、矢印ｃのように吸気風を流せる部分を維持し続けることができるものである。
【００３３】
次に、各塵埃捕集手段の目の粗さ（通気抵抗）の設定についてであるが、細塵捕集手段２４と二次塵埃捕集手段２８の目の粗さは、一次塵埃捕集手段２３よりも細かく設定している。これは、一次塵埃捕集手段２３で取りこぼした細塵を細塵捕集手段２４で確実に捕集し、また、一次塵埃捕集手段２３で捕集した塵埃を確実に塵埃収容部２７に吸引捕集するためのものである。
【００３４】
次に、第一流路２２と第二流路２５における圧力損失の関係についてであるが、第一流路２２の一次塵埃捕集手段２３から細塵捕集手段２４に至る圧力損失を、二次塵埃捕集手段２８を有する第二流路の圧力損失よりも小さく設定することにより、掃除中の通常の流路は圧力損失の少ない第一流路２２となり、より強力な吸引力を引き出すことができるとともに、一次塵埃捕集手段２３に塵埃が付着してくると、一次的に吸気を第二流路２５に切り替え、塵埃を自動的に除去することができるものである。この時、第二流路２５の圧力損失を高めに設定しているのは、第二流路２５に必要とされる機能が、単に一次塵埃捕集手段２３に付着した塵埃を塵埃収容部２７に移送する、あるいは、塵埃収容部２７内の塵埃を圧縮する程度のものであるから、そのために必要な風量だけを確保すればよいからである。つまり、低風量で塵埃を移送することによって、二次塵埃捕集手段２８への目づまりを極力抑えることができるのである。
【００３５】
次に図９、図１０を用いて、細塵捕集手段２４の除塵構成について２つ説明する。
【００３６】
図９に示す構成は、細塵捕集手段２４の一部である突出部分３６を、第一流路２２の外部に突出させるとともに、細塵捕集手段２４を第一流路２２を形成する枠体に対し、気密性と柔軟性を合わせ持つ弾性体であるパッキン等３５で浮かせた状態で保持し、細塵捕集手段２４の突出部分３６に襲撃を与えるための除塵手段である振動発生装置（図示せず）を設けたものである。作用としては、細塵捕集手段２４外周をエアタイトしつつ細塵捕集手段２４に付着した細塵をはたき落とし除塵することができるもので、細塵捕集手段２４においてもメンテナンスを軽減することができるものである。特に、細塵捕集手段２４に与える振動を１５〜３０Ｈｚくらいに設定すると、細塵捕集手段２４に付着する細塵成分を容易に落すことができる。
【００３７】
次に、図１０の構成であるが、前記細塵捕集手段２４において、突出部分３６に加わる衝撃により、前記細塵捕集手段２４が回動するように前記細塵捕集手段２４を第一流路２２の枠体に回動自在に保持したものである。作用としては、細塵捕集手段２４の動きを規制し、除塵手段によりはたき落とし除塵した細塵を効率よく確実に細塵収容部３３に落とすことができるというものである。これらの細塵捕集手段２４の除塵タイミングについても、製品仕様によって調整が必要なものであって、掃除中に定期的に実施したり、風量や圧力を検知し、一定水準をベースに動作させても良いし、人為的にあるいは、掃除終了時に一定時間動作させる等については容易に推測できるものである。
【００３８】
（実施例２）
次に、本発明の流路切換え方式の第２の実施例について図１１、図１２を用いて説明する。なお、上記実施例と同一部品については同一符号を付し、その説明は省略する。
【００３９】
集塵ケース１１内の２つの流路である第一流路２２と第二流路２５の切り替えにおいて、第一流路２２に空気風が流れるときには、第二流路２５には空気風が流れないような構成するというもので、具体的構成例といては、第一流路２２において、細塵捕集手段２４の吸気上流側の部分を同軸上に摺動（移動）可能な二重管構造とし、吸気上流側を外管３６に下流側を内管３７とし、内管３７を外管３６の内面を摺動する移動体とする構成である。
【００４０】
内管３７の先端部には一次塵埃捕集手段２３を設けるとともに、内管３７が外管３６の後部を閉じる最後端まで摺動した位置では、一次塵埃捕集手段２３の前に第二流路２５へと連通する分岐部２６を外管３６に設けている（図１２）。この分岐部２６は、内管３７が前方に位置している際には（図１１）、内管３７の外壁によって塞がれており、その替わりに細塵捕集手段２４への通路が開放されているというものである。この構成の作用としては、一次塵埃捕集手段２３の表面に付着した塵埃が第二流路２５に吸引され移送するときには、前記内管３７が手動あるいは使用者が操作する操作手段によって移動するため、使用者が塵埃が第二流路２５に吸引され移送したことを目や音で確認できるため、使用性を向上できる。
【００４１】
ここでは、前後の摺動式を取り上げたが、二重管構造においては、一方を回転させることによっても同様の流路切換えを小スペースで実施することができることはいうまでもない。また、別の手段として、先に延べた構成において第二流路２５の入口部分に蓋体を設け、遮蔽板３０の切換えと連動して蓋体も開閉動作を行わせても同様の効果が得られる。
【００４２】
【発明の効果】
本発明によれば、強力な吸い込み力を持続させ、集塵フィルターのメンテナンスを軽減できる電気掃除機を提供できる。
【図面の簡単な説明】
【図１】本発明の第１の実施例を示す電気掃除機の外観図
【図２】同電気掃除機の本体の断面図
【図３】同電気掃除機の集塵ケースの断面図（第一流路開放状態）
【図４】図３のＢ−Ｂ断面図
【図５】同電気掃除機の集塵ケースの断面図（第一流路密閉状態）
【図６】図５のＢ−Ｂ断面図
【図７】同電気掃除機の他の集塵ケースの断面図
【図８】同電気掃除機の他の集塵ケースの断面図
【図９】図３のＡ−Ａ断面図
【図１０】図３の他のＡ−Ａ断面図
【図１１】本発明の第２の実施例を示す電気掃除機の集塵ケースの断面図（第一流路開放時）
【図１２】同電気掃除機の集塵ケースの断面図（第一流路密閉時）
【符号の説明】
１１  集塵ケース
１２  電動送風機
２２  第一流路
２３  一次塵埃捕集手段
２４  細塵捕集手段
２５  第二流路
２７  塵埃収容部
２８  二次塵埃捕集手段
【図１】
2005000572.tif 000003
【図２】
2005000572.tif 000004
【図３】
2005000572.tif 000005
【図４】
2005000572.tif 000006
【図５】
2005000572.tif 000007
【図６】
2005000572.tif 000008
【図７】
2005000572.tif 000009
【図８】
2005000572.tif 000010
【図９】
2005000572.tif 000011
【図１０】
2005000572.tif 000012
【図１１】
2005000572.tif 000013
【図１２】
2005000572.tif 000014